(57)【要約】【課題】  現有の技術に比べると、本発明の改質処理方法は原材料からの制限を軽減でき、設備工事費が少なく済み、製造のコストダウンが期待できるなどのメリットがあるのみならず、製品の品種を増やすこともできるのである。【解決手段】  本発明は接触分解アルキレートの改質処理方法を開示した。つまり、接触分解アルキレートを分留塔により分留することによって、ガソリン留分と軽油留分を分留する。これによって、一つの中間留分を増やしてから、前述の中間留分または中間留分とガソリン留分を混合した後に、芳香族の抽出処理を行なう。抽出した芳香族を芳香族成分と非芳香族成分に分ける。芳香族成分を分留することによって、得られた高オクタン価のガソリン成分とガソリン留分をブレンドすることにより、ガソリンのオクタン価を向上する。非芳香族成分を分留することによって、得られた軽油成分と軽油留分を混合することにより、軽油の生産量及びそのセタン価を向上する。【選択図】  図１−Ａ
2007506808.tif 000002
【特許請求の範囲】
【請求項１】
接触分解アルキレートを分留塔（１）によって分留し、ガソリン留分と軽油留分の分留が含まれた接触分解アルキレートの改質処理方法において、
ガソリン留分と軽油留分のリコンストラクションにより、前述のガソリン留分と軽油留分から中間留分を抽出し、得られた中間留分を溶剤抽出塔で抽出分離することにより、芳香族成分と非芳香族成分を分離することを特徴とする接触分解アルキレートの改質処理方法。
【請求項２】
前述の分留塔（１）の中部に一つまたは複数の塔側切口を増やして、中間留分を分留し、前述のガソリン分留と軽油分留及び中間分留は前述の分留塔（１）内で完成され、前述のガソリン留分の分留範囲を３５〜１１０℃±３０℃に制御し、前述の軽油留分の分留範囲を２１０±３０℃〜３５５±３０℃に制御し、前述の中間留分の分留範囲を１２０±３０℃〜２１０℃±３０℃に制御することを特徴とする請求項１に記載の接触分解アルキレートの改質処理方法。
【請求項３】
前述の分留塔（１）の塔頂部の温度が６５〜９５℃、軽油出口の温度が１９０〜２８０℃、塔側切口の温度が１２０〜２６０℃、塔底の温度が３４０〜３８５℃、分留塔（１）の塔頂部の圧力が０．１１〜０．２８ＭＰＡ、塔底の圧力が０．１２〜０．３０ＭＰＡであることを特徴とする請求項２に記載の接触分解アルキレートの改質処理方法。 
【請求項４】
前述の分留は二段階分留であり、第一段階では、先ずガソリン留分と軽油留分を分留し、前述の分留塔（１）の温度を１０〜５０℃上げることにより、前述のガソリン留分（１）の分留範囲を３５〜２１０℃±３０℃に制御し、軽油留分の分留範囲を２１０±３０℃〜３５５±３０℃に制御し、前述のガソリン留分（１）を分留塔（２）に送り込み、二次分留を行ない、前述の分留塔（２）の底部から分留範囲が１１０±３０℃〜２１０℃±３０℃の中間留分を分離し、その頂部から分留範囲が３５〜１１０±３０℃のガソリン留分を分離することを特徴とする請求項１に記載の接触分解アルキレートの改質処理方法。 
【請求項５】
前述の分留は二段階分留であり、第一段階では、先ずガソリン留分と軽油留分を分留し、分留塔（１）の温度を１０〜４０℃下げることにより、前述のガソリン留分の分留範囲を３５〜１１０℃±３０℃に制御し、軽油留分（１）の分留範囲を１１０±３０℃〜３５５±３０℃に制御し、前述の軽油留分（１）を分留塔（５）に送り込み、二次分留を行ない、前述の分留塔（５）の底部から分留範囲が２１０±３０℃〜３５５±３０℃の軽油留分を分離し、その頂部から分留範囲が１１０±３０℃〜２１０℃±３０℃の中間留分を分離することを特徴とする請求項１に記載の接触分解アルキレートの改質処理方法。 
【請求項６】
前述の芳香族成分を分留塔（３）によって分留を行ない、前述の分留塔（３）の頂部から高オクタン価のガソリン成分を分離し、その底部から重芳香族成分を分離し、得られた高オクタン価のガソリン成分と前述のガソリン留分を調和して、得られた重芳香族成分と前述の軽油留分を調和することを特徴とする請求項１ないし４のいずれかに記載の接触分解アルキレートの改質処理方法。 
【請求項７】
前述の分留塔（１）の中部から１〜４の塔側切口を引き出し、中間留分を１〜４の分範囲に分けることを特徴とする請求項２に記載の接触分解アルキレートの改質処理方法。 
【請求項８】
前述の芳香族成分は直接高品質のガソリンとして使用できることを特徴とする請求項１ないし４のいずれかに記載の接触分解アルキレートの改質処理方法。 
【請求項９】
前述の非芳香族成分は分留塔（４）によって、分留を行ない、前述の分留塔（４）の底部から軽油成分を分離し、それを前述の軽油留分と調和することにより、軽油のセタン価を向上し、若しくは一種類または数種類の低凝固軽油を調和し、前述の分留塔（４）の頂部から軽非芳香族を分離し、前述の軽非芳香族は化工軽油としても使用できるし、前述のガソリン留分と調和できることを特徴とする請求項１ないし４のいずれかに記載の接触分解アルキレートの改質処理方法。 
【請求項１０】
接触分解アルキレートを分留塔（１）によって分留し、ガソリン留分と軽油留分の分留が含まれ、ガソリン留分と軽油留分のリコンストラクションを行ない、前述のガソリン留分と軽油留分の間から中間留分を抽出した、接触分解アルキレート改質処理方法において、
前述の中間留分と前述のガソリン留分を溶剤抽出装置に送り込み、抽出分離を行ない、芳香族成分と非芳香族成分を分離することを特徴とする接触分解アルキレート改質処理方法。
【請求項１１】
前述の分留塔（１）の中部に、一つまたは複数の塔側採取口を増やすことによって、中間留分を分離し、前述のガソリン分留と軽油分留及び中間分留は前述の分留塔（１）内で完成し、前述のガソリン留分の分留範囲を３５〜１５０℃に制御し、前述の軽油留分の分留範囲を１７０〜３９５℃に制御し、前述の中間留分の分留範囲を７０〜２５０℃に制御することを特徴とする請求項１０に記載の接触分解アルキレート改質処理方法。 
【請求項１２】
前述の分留塔（１）の中部から２〜４の塔側採取口を引き出すことによって、中間留分を２〜４の物流に分けることを特徴とする請求項１０に記載の接触分解アルキレート改質処理方法。
【請求項１３】
前述の分留塔（１）の塔頂部の温度が６５〜１３０℃、軽油出口の温度が１７０〜２５０℃、前述の塔側採取口の温度が１２０〜２４０℃、前述の分留塔（１）の塔底の温度が３３０〜３８５℃、前述の分留塔（１）の塔頂部の圧力が０．１５〜０．２８ＭＰＡ、前述の分留塔（１）の塔底の圧力が０．１２〜０．３０ＭＰＡであることを特徴とする請求項１２に記載の接触分解アルキレート改質処理方法。
【請求項１４】
前述の分留は二段階分留であり、第一段階では、先ずガソリン留分と軽油留分を分留し、分留塔（１）の頂部及び軽油採取口の温度を１０〜５０℃上げることによって、前述のガソリン留分の分留範囲を３５〜２５０℃に制御し、軽油留分の分留範囲を１７０〜３９５℃に制御し、前述のガソリン留分を分留塔（２）に送り込み、二次分留を行ない、前述の分留塔（２）の下部塔側から分留範囲が７０℃〜２５０℃の中間留分を分離し、その頂部から分留範囲が３５〜１５０℃のガソリン留分を分離し、前述の中間留分と前述の分留範囲が３５〜１５０℃のガソリン留分を溶剤抽出装置に送り込み、抽出分離を行ない、芳香族成分と非芳香族成分を分離することを特徴とする請求項１０に記載の接触分解アルキレート改質処理方法。
【請求項１５】
前述の分留は二段階分留であり、第一段階では、先ずガソリン留分と軽油留分を分留し、分留塔（１）の頂部及び軽油採取口の温度を１０〜５０℃下げることによって、前述のガソリン留分の分留範囲を３５〜１５０℃に制御し、軽油留分の分留範囲を７０〜３９５℃に制御し、前述の軽油留分を分留塔（５）に送り込み、二次分留を行ない、前述の分留塔（５）の下部塔側から分留範囲が１７０〜３９５℃の軽油留分を採取し、その頂部から分留範囲が７０〜２５０℃の中間留分を分離し、前述の中間留分と前述の分留範囲が１７０〜３９５℃の軽油留分を溶剤抽出装置に送り込み、抽出分離を行ない、芳香族成分と非芳香族成分を分離することを特徴とする請求項１０に記載の接触分解アルキレート改質処理方法。
【請求項１６】
前述の芳香族成分は分留塔（３）によって分留を行ない、前述の分留塔（３）の頂部から高オクタン価のガソリン成分を分離し、その下部の塔側から重芳香族成分を採取し、前述の非芳香族成分は分留塔（４）によって分留を行ない、前述の分留塔（４）の塔頂部の留出物はガス軽油成分であり、塔側から軽非芳香族を採取し、塔底の留出物は軽油成分であることを特徴とする請求項１０ないし１５のいずれかに記載の接触分解アルキレート改質処理方法。
【請求項１７】
前述の芳香族成分は直接高品質のガソリンとして使用できることを特徴とする請求項１０ないし１５のいずれかに記載の接触分解アルキレート改質処理方法。
【請求項１８】
前述の高オクタン価のガソリン成分と前述のガス軽油成分をブレンドすることを特徴とする請求項１６に記載の接触分解アルキレート改質処理方法。
【請求項１９】
前述の重芳香族成分と前述の軽油留分をブレンドすることを特徴とする請求項１６に記載の接触分解アルキレート改質処理方法。
【請求項２０】
前述の軽油成分と前述の軽油留分を調和することを特徴とする請求項１６に記載の接触分解アルキレート改質処理方法。
【請求項２１】
前述の軽非芳香族と前述のガソリン成分を調和することを特徴とする請求項１６に記載の接触分解アルキレート改質処理方法。
【請求項２２】
前述の重芳香族成分は単独製品として使用でき、前述の軽油成分は水素化精製により処理された後、エチレン原料として使用でき、前述の軽非芳香族は化工軽油用として使用できることを特徴とする請求項１６に記載の接触分解アルキレート改質処理方法。
【請求項２３】
前述の高オクタン価のガソリン成分と前述のガス軽油成分及び前述の軽非芳香族とを調和することを特徴とする請求項１６に記載の接触分解アルキレート改質処理方法。
【請求項２４】
前述の抽出分離時に用いる水溶性溶剤は循環使用するものであり、前述の水溶性溶剤の再生方法は以下の通りであり、（１）水溶性溶剤が水と混合し、前述の水と水溶性溶剤の重量比は０.１−１０であり、（２）前述手順での混合物を沈殿分離させて、三つの相位を形成し、上部は油相位であり、中部は水溶性溶剤と水との混合相位であり、下部は不溶物であり、（３）前述手順（２）での中部混合相位は常圧または減圧条件において、廃熱によって、蒸留分離を行ない、綺麗に再生された水溶性溶剤と水を得られ、（４）前述手順（３）で綺麗に再生された水溶性溶剤を排出して、分離した水を冷却させ、（５）手順（４）で冷却された水は再度油水分離を行ない、回収水を排出させてから、手順（１）での水溶性溶剤を混合して循環使用することを特徴とする請求項１または１０に記載の接触分解アルキレート改質処理方法。
【請求項２５】
前述の手順（３）での前述の中部混合相位をさきに濾過分離を行なってから、蒸留分離を行なうことを特徴とする請求項２４に記載の接触分解アルキレート改質処理方法。
【請求項２６】
前述の水と水溶性溶剤の重量比は０.５−３であることを特徴とする請求項２４に記載の接触分解アルキレート改質処理方法。
【請求項２７】
前述の水と水溶性溶剤の重量比は１−２であることを特徴とする請求項２４に記載の接触分解アルキレート改質処理方法。
【請求項２８】
前述の水溶性溶剤は二種類または二種類以上の水溶性溶剤の混合溶剤を含むことを特徴とする請求項２４に記載の接触分解アルキレート改質処理方法。
【請求項２９】
前述の手順（３）での前述の中部混合相位をさきに一回以上の濾過分離を行なってから、蒸留分離を行なうことを特徴とする請求項２４に記載の接触分解アルキレート改質処理方法。
【請求項３０】
前述の濾過分離は二次濾過分離であることを特徴とする請求項２９に記載の接触分解アルキレート改質処理方法。
【請求項３１】
前述の濾過分離は三次濾過分離であることを特徴とする請求項２９に記載の接触分解アルキレート改質処理方法。
【請求項３２】
前述の濾過分離は直列であることを特徴とする請求項３０または３１に記載の接触分解アルキレート改質処理方法。
【発明の詳細な説明】
【技術分野】
【０００１】
本発明は、接触分解アルキレートの改質処理方法、特に接触分解アルキレートを改質することによる高品質のガソリンと軽油の処理方法に関する。
【背景技術】
【０００２】
接触分解、ＤＣＣ及び重油ＤＣＣ技術が石油精製の中核技術を構成している。接触分解はろう油接触分解と重油接触分解とに大別されているが、それらの工程により得られる生成油は接触分解アルキレートと呼ばれている。得られた接触分解アルキレートは、加工処理、通常、分留塔による分留処理によって、ドライガス、ＬＰＧ、ガソリン、軽油、重油などのものに分留される。そのうち、分留によって得られるガソリン、軽油は、マーケットにおけるガソリン、軽油供給量の７０％以上を占めている。
【０００３】
しかしながら、環境保全に対する規制がますます厳しくなってきたことに伴なって、ガソリン、軽油に対する基準も上昇してきたことから、従来の接触分解アルキレートを分留塔によって分留する加工処理方法に存在する以下の欠点が目立ってきた。一つは、その処理方法で製造されたガソリンと軽油の品質向上の問題である。つまり、ガソリンについては、オレフィン含有量が高く、オクタン価が低いこと、及び軽油につてはセタン価が低く、安定性が低いことが挙げられる。もう一つの問題は、上記処理方法では、仕様の異なるガソリンを同時に製造できず、製品の種類が単純であること。そして、製造された軽油・ガソリンの分解比率は市場の需要に対応できず、軽油が供給不足であり、ガソリンが供給過剰の状態が続いている。
【０００４】
ガソリン製品の品質に影響を及ばす要因としては、ガソリンのオレフィン含有量及びガソリンのオクタン価が挙げられる。現状において、石油精製会社で採用しているガソリンのオクタン価を向上させる方法として、（１）高オクタン価ガソリンの調和成分を増加させること、例えば、改質生成油、アルキレーション、エーテル化生成油、異性化生成油など、（２）新型触媒の採用すること、（３）接触分解の操作条件を調整すること、（４）ガソリンの分留範囲を調整すること、が挙げられる。
【０００５】
しかし、前述方法には以下の問題がある。（１）巨額の建設工事費を必要とするうえ、ランニングコストが高いことと、規模が原料からの制限を受けやすいこと。そして、資源の利用が不合理である。例えば、改質生成油はポリエステルを製造する主要原料であり、改質生成油を高オクタン価のガソリン調和成分に大量に使用されると、もともと供給不足のポリエステル原料の供給逼迫度合いを激化することになる。（２）新型触媒の採用はガソリンのオクタン価を増加することができるかわりに、ガソリン中のオレフィン含有量を大幅に増加することになり、軽油・ガソリンの分解比率が低くなる。（３）接触分解の操作条件の調整によるガソリンのオクタン価を増加する方法は、同じくガソリン中のオレフィン含有量を大幅に増加することになり、軽油・ガソリンの分解比率が低くなる。（４）ガソリンの分留範囲を調整することにより、ガソリンのオクタン価を増加する方法は調整の余地が限られているほか、ガソリン中のオレフィン含有量を増加することになる。したがって、オレフィンの増加によってガソリンのオクタン価を増加させるすべての方法は新規導入されたガソリン基準に矛盾することとなる。
【０００６】
溶剤抽出塔の中で芳香族成分と非芳香族成分を抽出分離する時に使用する溶剤は循環使用されるものであり、水と相位溶できるため、その溶剤が長期にわたって装置中を循環運行するので、一部の溶剤が酸化されて、酸性物質を発生する。それを除去するには、抗酸性物質を添加しばければならない。前述の加工工程では、加工過程のいて、微量のオレフィンが原料に混入する恐れがある。また、装置及び配管には機械性雑質が発生することによって、循環溶剤の色が濃くなり、ハイポリマーと酸性物質が蓄積されるため、次第に前述の工程の操作に影響出てくる。ひどい場合は、前述工程の製品品質及び収率をも影響することがある。したがって、循環溶剤の再生処理を行なわなければならない。
【０００７】
現有の溶剤再生方法には、常圧または減圧ストリッピング再生法、常圧または減圧蒸留再生法、吸着再生法及び濾過再生法がある。ストリッピング再生法はストリッピングガス量の制限を受けられるため、再生処理量が少ない。蒸留再生法は操作が面倒くさいうえ、溶剤のロスが多く、エネルギーの消耗が高く、再生塔の再沸器にコークス付着がひどい。吸着再生法は、通常イオン交換樹脂を使用されるが、例えば、アメリカの特許文献US４９１９８１６号で提案されたスルホラン抽出システム循環水の再生方法である。当該方法は可以有効除去循環水中の酸性物質を効果的に除去でき、装置の腐食を低減できる一方、溶剤システムの汚染物を除去できず、アルカリ溶液の使用を必要とする。中国の特許文献ＣN１０６２００７Ｃ号で公開された芳香族抽出溶剤の再生方法では、システムに循環水を入れて、次いで濾過と吸着脱色により実現されるのであるが、次の欠点がある。一つはシステム内の水量が限られているので、処理能力に限界がある。もう一つは、水を入れた後、溶剤中にある雑質が分離されないままで吸着床層に入るので、吸着床層がよく塞がれる。三番目は、吸着床層の吸着量が限られているため、ある程度までなると、吸着床は失効となるので、吸着剤の交換または再生が必要になってくる。四番目は、樹脂を再生する時に酸アルカリ処理を必要とするため、操作が複雑であり、コストが高い。
【発明の開示】
【発明が解決しようとする課題】
【０００８】
本発明は、高品質のガソリンと軽油を製造するための接触分解アルキレートの改質処理方法を提供することを目的の一つとする。
【０００９】
本発明は、溶剤のロスが低く、処理量が多く、酸アルカリ処理を必要とせず、再生後の溶剤品質が高い水溶性溶剤再生システムの接触分解アルキレートの改質処理方法を提供することをもう一つ目的とする。
【００１０】
本発明は、接触分解アルキレートの改質により、製品品種が増加できる仕様の異なるガソリンと軽油を当時に製造できることをもう一つの目的とする。
【００１１】
本発明は、市場の需要を満足するための、軽油・ガソリンの分解比率を向上することをもうまたもう一つの目的とする。
【課題を解決するための手段】
【００１２】
本発明は、前述の目的を実現するには、下記の技術手段を採用する。
【００１３】
本発明の接触分解アルキレートの改質処理方法は、接触分解アルキレートを分留塔１により分留し、ガソリン留分の分留と軽油留分の分留が含まれるものであり、ガソリン留分と軽油留分のリコンストラクションを行ない、前述ガソリン留分と軽油留分から中間留分を抽出してから、前述中間留分を溶剤抽出塔により抽出分離を行い、芳香族成分と非芳香族成分を分離することを特徴とする。
【００１４】
実施の形態。分留塔１の中部に一つまたは複数の塔側切口を増加することによって中間留分を分留する。分留塔１の塔頂部の温度を６５〜９５℃、軽油出口の温度を１９０〜２８０℃、塔側切口の温度を１２０〜２６０℃、塔底の温度を３４０〜３８５℃、分留塔１の塔頂部の圧力を０.１１〜０.２８ＭＰＡ、塔底の圧力を０．１２〜０．３０ＭＰＡにそれぞれ設定する。前述のガソリン分留と軽油分留及び中間分留は前述の分留塔１内で完成される。前述のガソリン留分の分留範囲を３５〜１１０℃±３０℃に、前述の軽油留分の分留範囲を２１０±３０℃〜３５５±３０℃に、前述の中間留分の分留範囲を１２０±３０℃〜２１０℃±３０℃にそれぞれ制御する。
【００１５】
実施の形態。前述の分留は二段階に分けて分留を行なう。先ず、第一段階では、分留塔１の温度を１０℃〜５０℃上げて、ガソリン留分と軽油留分を分留した後に、前述のガソリン留分の分留範囲を３５〜２１０℃±３０℃に、軽油留分の分留範囲を２１０±３０〜３５５±３０℃に制御して、前述のガソリン留分を分留塔２に送り込み、第二段階分留を行なって、前述の分留塔２の底部から分留範囲が１１０±３０℃〜２１０℃±３０℃の中間留分を分離し、その頂部分から分留範囲が３５〜１１０±３０℃のガソリン留分を分離することを特徴とする。
【００１６】
実施の形態。前述の分留は二段階に分けて分留を行なう。先ず、第一段階では、分留塔１の温度を１０〜４０℃下げて、ガソリン留分と軽油留分を分留した後に、前述のガソリン留分の分留範囲を３５〜１１０℃±３０℃に、軽油留分の分留範囲を１１０±３０℃〜３５５±３０℃に制御して、前述の軽油留分を分留塔５に送り込み、第二段階分留を行なって、前述の分留塔５の底部から分留範囲が２１０±３０℃〜３５５±３０℃の軽油留分を分離し、その頂部から分留範囲が１１０±３０℃〜２１０℃±３０℃の中間留分を分離することを特徴とする。
【００１７】
実施の形態。前述の芳香族成分を分留塔３で分留を行なう。前述の分留塔３の頂部から高オクタン価のガソリン成分を分離し、その底部から重芳香族成分を分離することによって、得られた高オクタン価のガソリン成分と分留範囲が３５〜１１０℃±３０℃のガソリン留分を調和することを特徴とする。
【００１８】
実施の形態。前述の高オクタン価のガソリン成分は、前述の分留範囲が３５〜１１０℃±３０℃のガソリン留分と全部調和することができることを特徴とする。
【００１９】
実施の形態。前述の高オクタン価のガソリン成分は、前述の分留範囲が３５〜１１０℃±３０℃のガソリン留分と、設定値の違いにより調和することによって、仕様の異なるガソリンが得られることを特徴とする。例えば、９０＃ガソリン、９３＃ガソリン、９７＃ガソリンなど。
【００２０】
実施の形態。前述の第一段階の分留過程では、分留塔１の中間留分から１〜４個の塔側切口を引き出し、中間留分を１〜４個の分留範囲を分けることができることを特徴とする。
【００２１】
実施の形態。前述の非芳香族成分を分留塔４で分留を行なうことを特徴とする。前述の分留塔４の底部から軽油成分を分離して、得られたものを前述の分留範囲が２１０±３０℃〜３８０℃の軽油留分とを調和することにより、軽油のセタン価を向上することができる。そして、マーケットのニーズに基づいて、一種類または数種類の低凝固軽油を調和することもできる。前述の分留塔４の頂部から軽非芳香族を分離でき、この軽非芳香族は化工軽油に使用することもできるし、ガソリン留分と調和することもできる。
【００２２】
接触分解アルキレートの改質処理方法。接触分解アルキレートを分留塔１により分留し、ガソリン留分の分留と軽油留分の分留が含まれるもの。ガソリン留分と軽油留分のリコンストラクションを行ない、前述のガソリン留分と軽油留分から中間留分を抽出する。前述の中間留分とガソリン留分を溶剤抽出装置に送り込み、抽出分離を行なうことによって、芳香族成分と非芳香族成分を分離することを特徴とする。
【００２３】
実施の形態。分留塔１の中部に塔側採取口を一つまたは複数増加することによって、中間留分を分留することを特徴とする。分留塔１の塔頂部の温度を６５〜１３０℃、軽油出口の温度を１７０〜２５０℃、塔側採取口の温度を１２０〜２４０℃、塔底の温度を３３０〜３８５℃、分留塔１の塔頂部の圧力を０．１５〜０．２８ＭＰＡ、塔底の圧力を０．１２〜０．３０ＭＰＡ、に設定し、前述のガソリン留分と軽油留分及び中間留分を前述の分留塔１内で完成され、前述のガソリン留分の分留範囲を３５〜１５０℃に制御し、前述の軽油留分の分留範囲を１７０〜３９５℃に、前述の中間留分の分留範囲を７０〜２５０℃に制御することを特徴とする。
【００２４】
実施の形態。前述の分留は二段階分留である。第一段階では、先ずガソリン留分と軽油留分を分留する。分留塔１の頂部及び軽油採取口の温度を１０〜５０℃上げて、前述のガソリン留分の分留範囲を３５〜２５０℃に、軽油留分の分留範囲を１７０〜３９５℃に制御して、前述のガソリン留分を分留塔２に送り込み、二次分留を行なった。前述の分留塔２の下部塔側から分留範囲が７０℃〜２５０℃の中間留分を分離し、その頂部から分留範囲が３５〜１５０℃のガソリン留分を分留する。前述の中間留分と前述の分留範囲が３５〜１５０℃のガソリン留分が共同で溶剤抽出装置の中で抽出分離され、芳香族成分と非芳香族成分を分離することを特徴とする。
【００２５】
実施の形態。前述の分留は二段階分留である。第一段階では、先ずガソリン留分と軽油留分を分留する。分留塔１の頂部及び軽油採取口の温度を１０〜５０℃下げる。前述のガソリン留分の分留範囲を３５〜１５０℃に、軽油留分の分留範囲を７０〜３９５℃に制御する。前述の軽油留分を分留塔５に送り込み、二次分留を行なった。前述の分留塔５の下部塔側から分留範囲が１７０〜３９５℃の軽油留分を採取し、その頂部から分留範囲が７０〜２５０℃の中間留分を分留する。前述の中間留分と前述の分留範囲が１７０〜３９５℃の軽油留分を共同で溶剤抽出装置に送られ、抽出分離され、芳香族成分と非芳香族成分を分離することを特徴とする。
【００２６】
実施の形態。前述の第一段階の分留の過程では、分留塔１から１〜４つの塔側採取口を引き出し、中間留分を１〜４つの物流に分けられることを特徴とする。
【００２７】
実施の形態。前述の芳香族成分と溶剤を分留塔３に送り、分留を行なう。前述の分留塔３の頂部から高オクタン価のガソリン成分を分留し、その下部塔側から重芳香族成分を採取することを特徴とする。
【００２８】
実施の形態。前述の非芳香族成分を分留塔４に送り、分留を行なう。前述の分留塔４の塔頂部からの分留物がガス軽油成分であり、塔側採取口から軽非芳香族を採取し、塔底の留出物が軽油成分であることを特徴とする。
【００２９】
前述の軽油留分と前述の分留範囲が１７０〜３８０℃の軽油留分をブレンドすることにより、軽油のセタン価を向上することができる。そして、マーケットのニーズに基づいて、一種類または数種類の低凝固軽油及び非低凝固軽油をブレンドすることができる。この軽油成分は水素化精製により処理された後、エチレンの原料として使用できる。
【００３０】
前述の軽非芳香族はガス軽油成分とブレンドすることができ、化工軽油として、単独で使用することもできる。そして、得られた化工軽油は芳香族の含有量が低く、水素化精製により処理された後、エチレン分解の良質な原料として使用することもできる。
【００３１】
前述の高オクタン価のガソリン成分は前述のガス軽油成分とブレンドすることができる。
【００３２】
前述の高オクタン価のガソリン成分と前述のガス軽油成分は設定値の違いによりブレンドされ、仕様の異なるガソリンが得られる。例えば、９０＃ガソリン、９３＃ガソリン、９７＃ガソリンなど。
【００３３】
前述の芳香族成分は直接高品質ガソリンとしても使用することができる。
【００３４】
抽出に使う溶剤としては、スルフォン類、例えばスルホラン、グリコール類、例えばテトラエチレングリコールとペンタエチレングリコール、ピロリドン類、例えばN-メチル-２-ピロリドン、アミド類及びアミン類などが挙げられ、若しくは、二種類または二種類以上の溶剤を混合して使用することもできる。
【００３５】
接触分解アルキレートの改質処理方法。接触分解アルキレートは分留塔により分留され、その中にガソリン留分と軽油留分の分留が含まれ、ガソリン留分と軽油留分をリコンストラクションする。前述のガソリン留分と軽油留分から中間留分を抽出し、前述の中間留分または前述の中間留分とガソリン留分を混合した後、溶剤抽出塔で抽出分離を行ない、芳香族成分と非芳香族成分を分離する。前述の抽出分離時に使用する溶剤は循環使用するものであり、前述の溶剤を再生する具体的手順は以下の通りであることを特徴とする。
【００３６】
１．水溶性溶剤と水との混合。前述の水と水溶性溶剤の重量比を０.１−１０とする。
【００３７】
２．前述手順の混合物を沈殿分離させて、三相位を発生する。上部が油相位であり、中部が水溶性溶剤と水の混合相位であり、下部が不溶物である。
【００３８】
３．手順２の中部混合相位を常圧または減圧条件において、廃熱によって蒸留分離させ、良質な再生水溶性溶剤と水が得られる。
【００３９】
４．前述手順３の再生水溶性溶剤を排出して、分離した水を冷却させる。
【００４０】
５．手順４で冷却された後の水を油水の再分離を行ない、回収水を排出してから、再度手順１の水溶性溶剤と混合して循環使用する。
【００４１】
実施の形態。前述の手順３の中部混合相位を先に濾過分離してから、蒸留分離を行なう。
【００４２】
前述の水と水溶性溶剤の重量比は０.５−３を推奨し、１−２が望ましい。
【００４３】
実施の形態。前述の濾過分離可分を一次濾過分離、二次濾過分離または三次濾過分離などに分けられることを特徴とする。各濾過分離は直列、並列または直列・並列の同時使用はできる。
【００４４】
濾過分離に使用するろ材はフィルターエレメントまたは濾過クッションを使用することができる。フィルターエレメントに使用する材料はの材料包括金属粉末冶金、セラミック、金属網、各種織物などを含む一定の開孔サイズの材料を使用する。使用する濾過クッションは活性炭または処理後の活性炭、白土、シリカゲル、酸化アルミ、酸化ケイ素、分子ふるい、各種砂土などの無機物、各種陰陽イオン交換樹脂が挙げられる。
【発明を実施するための最良の形態】
【００４５】
以下、本発明を更に詳しく説明するため、実施例を挙げる。なお、これは本発明に対する保護範囲を制限することを表すものではない。
【００４６】
比較例１-Ａ
パラフィン基触媒原料と再生油は、蘭州触媒工場製のLＣS触媒の触媒作用により、接触分解アルキレートを発生した。得られた接触分解アルキレートは接触分解ろう油である。それを分留塔１に入れて、分割分留を行なう。分留塔１の塔頂部の温度を１１０℃に、軽油出口の温度を１９０℃に、塔底の温度を３７０℃に、塔頂部の圧力を０.１１ＭＰＡに、塔底の圧力を０.１２ＭＰＡに、それぞれ設定し、分留によってドライガス、LPG、ガソリン、軽油、重油留分などが得られた。
【００４７】
実施例１-Ａ
図１-Ａに示したように、パラフィン基触媒原料と再生油は、蘭州触媒工場製のLＣS触媒の触媒作用により、接触分解アルキレートを発生した。得られた接触分解アルキレートは接触分解ろう油である。それを分留塔１に入れて、分割分留を行なう。分留塔１の塔頂部の温度を８０℃に、軽油出口の温度を２４０℃に、塔底の温度を３７０℃に、塔頂部の圧力を０.１ＭＰＡに、塔底の圧力を０.１２ＭＰＡにそれぞれ設定し、分留塔１の中部に中間留分を分割用の塔側切口を一つ増やす。塔側切口の温度を１９０℃に、中間留分の分留範囲を１２０〜２１０℃に設定し、得られた中間留分を抽出塔に送り、溶剤の抽出分離を行なった。溶剤にスルホランを使用した。抽出温度が８０℃、抽出圧力が０.４ＭＰＡ、溶剤の重量比（溶剤/原料）が４.８で、芳香族成分と非芳香族成分を分離した。得られた芳香族成分は中間部位から分留塔３に入り、蒸留分離を行なった。分留温度が１２０〜１６５℃、分留圧力が０.０４〜０.２０ＭＰＡ。下部からストリッピング水を入れた。塔頂部の留分は高オクタン価成分であり、下部の塔側採取口は重芳香族成分であり、塔底の留出物は循環溶剤として使用する。得られた高オクタン価成分を全部ガソリン留分と調和することによって、得られた非芳香族成分が中間部位から分留塔４に入り、蒸留分離を行なった。分留温度が１００〜１３５℃、圧力が０.１５〜０.２５ＭＰＡ、塔頂部の分留物が軽非芳香族、塔底の留出物が軽油成分。得られた軽油成分を全部軽油留分と調和し、得られた軽非芳香族とガソリン留分を調和した。
【００４８】
実施例２-Ａ
中間基残渣重油触媒原料と再生油は、蘭州触媒工場製のLＡNET−３５触媒作用により、接触分解アルキレートを発生した。得られた接触分解アルキレートが接触分解重油であり、それを分留塔１に入れて、分割分留を行なった。分留塔１の塔頂部の温度を８０℃に、軽油出口の温度を２４０℃に、塔底の温度を３７０℃に、塔頂部の圧力を０.１ＭＰＡに、塔底の圧力を０.１２ＭＰＡに設定。分留塔１の中部に中間留分を分割するための塔側切口を三つ増やした。三つの塔側切口の温度は上から下への順に、それぞれ１７０、１８０、１９０℃であり、中間留分の分留範囲はそれぞれ８０〜１２０℃、１２０〜１６５℃、１６５〜２２０℃。得られた三つの分留範囲の中間留分を三つの同じ抽出塔に送り、溶剤の抽出分離を行なった。使用した溶剤はテトラエチレングリコールである。抽出温度が８５℃、抽出圧力が０.４ＭＰＡ、溶剤の重量比（溶剤/原料）が３.１で、芳香族成分と非芳香族成分を分離した。得られた芳香族成分は混合後、中間部位から分留塔３に入り、蒸留分離を行なった。分留温度が１２０〜１８０℃、分留圧力が０.０４〜０.２０ＭＰＡ。下部からストリッピング水を入れた。塔頂部の留分は高オクタン価成分であり、下部の塔側採取口は重芳香族成分であり、塔底の留出物は循環溶剤として使用する。得られた高オクタン価成分は全部ガソリン留分と調和した。得られた非芳香族成分は混合後、中間部位から分留塔４に入り、蒸留分離を行なった。分留温度が１００〜１３５℃、圧力が０.１５〜０.２５ＭＰＡ。塔頂部の分留物が軽非芳香族であり、塔底の留出物が軽油成分である。得られた軽油成分の全部を軽油留分と調和し、得られた軽非芳香族をガソリン留分と調和した。
【００４９】
実施例３-Ａ
ナフテン基重油触媒原料と再生油は、蘭州触媒工場製のLＡNET−３５触媒作用により、接触分解アルキレートを発生した。得られた接触分解アルキレートはナフテン基接触分解重油である。それを分留塔１に入れて、分割分留を行なった。分留塔１の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔１の中部に中間留分を分割するための塔側切口を増やした。上から下への順で、二つの塔側切口の温度がそれぞれ１８０、１９０℃。中間留分の分留範囲がそれぞれ８０〜１６５℃、１６５〜２２０℃。得られた二つの分留範囲の中間留分を二つ同じ抽出塔に送り込み、溶剤の抽出分離を行なった。溶剤にN-FORMYLMORPHOLIENEを使用した 。抽出温度が８５℃、抽出圧力が０.４ＭＰＡ、溶剤の重量比（溶剤/原料）が３.１。芳香族成分と非芳香族成分を分離した。得られた芳香族成分が混合された後、中間部位から分留塔３に入り、蒸留分離を行なった。分留温度が１２０〜１８０℃、分留圧力が０.０４〜０.２０ＭＰＡ。下部からストリッピング水を入れた。塔頂部の留分は高オクタン価成分であり、下部の塔側採取口は重芳香族成分であり、塔底の留出物は循環溶剤として使用する。得られた高オクタン価成分は全部ガソリン留分と調和した。得られた非芳香族成分は混合後、中間部位から分留塔４に入り、蒸留分離を行なった。分留温度が１００〜１３５℃、圧力が０.１５〜０.２５ＭＰＡ。塔頂部の分留物が軽非芳香族であり、塔底の留出物が軽油成分である。得られた軽油成分の全部を軽油留分と調和した。得られた軽非芳香族は、化工軽油として使用できる。
【００５０】
実施例４-Ａ
図３-Ａに示したように、パラフィン基重油接触分解原料と再生油が蘭州触媒工場製のLＢO−１６触媒作用により、接触分解アルキレートを発生した。得られた接触分解アルキレートはナフテン基接触分解重油である。それを分留塔１に入れて、分割分留を行なった。分留塔１の塔頂部の温度が５０℃、軽油出口の温度が２１０℃、塔底の温度が３４０℃、塔頂部の圧力が０.１ＭＰＡ、塔底の圧力が０.１２ＭＰＡ。前述のガソリン留分の分留範囲を３５〜１２０℃に、軽油留分１の分留範囲を１２０〜３５５℃に制御した。前述の軽油留分１を分留塔２に送り込み、二次分留を行なった。分留塔２の塔頂部の温度が８０℃、軽油出口の温度が２４０℃、塔底の温度が３７０℃、塔頂部の圧力が０.１ＭＰＡ、塔底の圧力が０.１２ＭＰＡ。前述の分留塔２の頂部から分留範囲が８０℃〜２４０℃の中間留分を分離し、その底部から分留範囲が２４０〜３８０℃のガソリン留分を分離した。中間留分を抽出塔に送り込み、溶剤の抽出分離を行なった。溶剤にN-メチル-２-ピロリドンを使用した。抽出温度を６６℃。抽出圧力を０.４ＭＰＡ。溶剤の重量比（溶剤/原料）を３.３。芳香族成分と非芳香族成分を分離した。得られた芳香族成分は中間部位から分留塔３に入り、蒸留分離を行なった。分留温度が１２０〜１８０℃、分留圧力が０.０４〜０.２０ＭＰＡ。下部からストリッピング水を入れた。塔頂部の留分は高オクタン価成分であり、下部の塔側採取口は重芳香族成分であり、塔底の留出物は循環溶剤として使用する。得られた高オクタン価成分は全部ガソリン留分と調和した。得られた非芳香族成分は中間部位から分留塔４に入り、蒸留分離を行なった。分留温度が１００〜１５０℃、圧力が０.１５〜０.２５ＭＰＡ。塔頂部の分留物が軽非芳香族であり、塔底の留出物が軽油成分である。得られた軽油成分の全部を軽油留分と調和した。得られた軽非芳香族は、化工軽油として使用できる。
【００５１】
実施例５-Ａ
図２-Ａに示したように、ナフテン基重油接触分解原料と再生油は蘭州触媒工場製のLＡNET−３５触媒作用により、接触分解アルキレートを発生した。得られた接触分解アルキレートはナフテン基接触分解重油である。それを分留塔１に入れて、分割分留を行なった。分留塔１の塔頂部の温度が１２０℃、軽油出口の温度が２７０℃、塔底の温度が３７０℃、塔頂部の圧力が０.１ＭＰＡ、塔底の圧力が０.１２ＭＰＡ。前述のガソリン留分１の分留範囲を３５〜２４０℃に、軽油留分の分留範囲を２４０〜３８５℃に制御した。前述のガソリン留分１を分留塔２に送り込み、二次分留を行なった。分留塔２の塔頂部の温度が８０℃、軽油出口の温度が２４０℃、塔底の温度が３７０℃、塔頂部の圧力が０.１ＭＰＡ、塔底の圧力を０.１２ＭＰＡ。前述の分留塔２の底部から分留範囲が１１０℃〜２１０℃の中間留分を分留し、その頂部から分留範囲が３５〜１１０℃のガソリン留分を分離した。中間留分を抽出塔に送り込み、溶剤の抽出分離を行なった。溶剤に５０％のN-メチル-２-ピロリドンと５０％のテトラエチレングリコールを使用した。抽出温度を８０℃に、抽出圧力を０.４ＭＰＡに、溶剤の重量比（溶剤/原料）を３.３に制御し、芳香族成分と非芳香族成分を分離した。得られた芳香族成分は中間部位から分留塔３に入り、蒸留分離を行なった。分留温度を１２０〜１８０℃に、分留圧力を０.０４〜０.２０ＭＰＡに制御し、下部からストリッピング水を入れた。塔頂部の留分は高オクタン価成分であり、下部の塔側採取口は重芳香族成分であり、塔底の留出物は循環溶剤として使用する。得られた高オクタン価成分とガソリン留分を９３＃ガソリンに調和した。得られた非芳香族成分は中間部位から分留塔４に入り、蒸留分離を行なった。分留温度を１００〜１３５℃に、圧力を０.１５〜０.２５ＭＰＡに制御した。塔頂部の分留物が軽非芳香族であり、塔底の留出物が軽油成分である。得られた軽油成分と軽油留分を５＃軽油に調和した。得られた軽非芳香族は、化工軽油として使用できる。
【００５２】
実施例６-Ａ
パラフィン基触媒原料と再生油は、蘭州触媒工場製のLＣS触媒の触媒作用により、接触分解アルキレートを発生した。得られた接触分解アルキレートは接触分解ろう油である。それを分留塔１に入れて、分割分留を行なった。分留塔１の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔１の中部に中間留分を分割するための塔側切口を増やした。塔側切口の温度が１８０℃、中間留分の分留範囲が１４０〜２４０℃で、得られた中間留分を抽出塔に送り、溶剤の抽出分離を行なった。溶剤にペンタエチレングリコールを使用した。抽出温度が１００℃、抽出圧力が０.４ＭＰＡ、溶剤の重量比（溶剤/原料）が２.９で、芳香族成分と非芳香族成分を分離した。得られた芳香族成分は直接高品質ガソリンとして使用する。得られた非芳香族成分は中間部位から分留塔４に入り、蒸留分離を行なった。分留温度が１００〜１５０℃、圧力が０.１５〜０.２５ＭＰＡで、塔頂部の分留物が軽非芳香族であり、塔底の留出物が軽油成分である。得られた軽油成分の全部を軽油留分と調和して、得られた軽非芳香族は、化工軽油として使用できる。
【００５３】
以下は、比較例により得られた製品と実施例により得られた製品の収率と性能の比較結果を下表に示した。
【表１】
2007506808.tif 000003
【表２】
2007506808.tif 000004
【００５４】
表１-Ａ、表２-Ａから分かるように、本発明の方法によれば、軽油・ガソリンの分解比率を明らかに改善でき、化工軽油の製品を得ることもできる。
【表３】
2007506808.tif 000005
【表４】
2007506808.tif 000006
【００５５】
軽油中の芳香族含有量はGＢ１１１３２−２００２に基づき測定した。ガソリンのオクタン価はGＢ/T５４８７に基づき測定した。ガソリンの密度はGＢ/T１８８４−１８８５に基づき測定した。ガソリンの分留範囲はGＢ/T６５３６に基づき測定した。ガソリンオレフィン含有量はGＢ１１１３２−２００２に基づき測定した。軽油中の芳香族含有量はGＢ１１１３２−２００２に基づき測定した。軽油のセタン価はGＢ/T３８６に基づき測定した。軽油の密度はGＢ/T１８８４−１８８５に基づき測定した。軽油の分留範囲はGＢ/T６５３６に基づき測定した。軽油の引火点はGＢ/T ２６１に基づき測定した。化工軽油の分留範囲はGＢ/T６５３６に基づき測定した。化工軽油の密度はGＢ/T１８８４−１８８５に基づき測定した。化工軽油中の芳香族含有量はGＢ１１１３２−２００２に基づき測定した。化工軽油中のオレフィン含有量はGＢ１１１３２−２００２に基づき測定した。
【００５６】
表３-Ａ、表４-Ａに示したように、本発明の方法によれば、ガソリンのオクタン価を向上できたと同時に、ガソリンの芳香族含有量も向上できたので、軽油のセタン価も改善されたことが分かった。すなわち、ガソリンと軽油の品質が改善されたのである。
【００５７】
比較例１-Ｂ
パラフィン基触媒原料と再生油は、蘭州触媒工場製のLＣS触媒作用により、接触分解アルキレートを発生した。得られた接触分解アルキレートを分留塔１に入れて、分割分留を行なった。分留塔１の塔頂部の温度が１１０℃、軽油出口の温度が１９０℃、塔底の温度が３７０℃、塔頂部の圧力が０.１１ＭＰＡ、塔底の圧力が０.１２ＭＰＡで、分留によって、ドライガス、LPG、ガソリン、軽油、重油留分などを得られた。
【００５８】
実施例１-Ｂ
図１-Ｂに示したように、パラフィン基触媒原料と再生油は、蘭州触媒工場製のLＣS触媒作用により、接触分解アルキレートを発生した。得られた接触分解アルキレートを分留塔１に入れて、分割分留を行なった。分留塔１の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔１の中部に中間留分を分割するための塔側採取口を一つ増やした。塔側採取口の温度が１９０℃、中間留分の分留範囲が１２０〜２１０℃。得られた中間留分と得られたガソリン留分を抽出装置に送り込み、溶剤の抽出分離を行なった。溶剤にスルホランを使用した。抽出温度が８０℃、抽出圧力が０.４ＭＰＡ、溶剤の重量比（溶剤/原料）が４.８で、芳香族成分と非芳香族成分を分離した。得られた芳香族成分と溶剤は中間部位から分留塔３に入り、蒸留分離を行なった。分留温度が１２０〜１６５℃、分留圧力が０.０４〜０.２０ＭＰＡ。下部からストリッピング水を入れて、塔頂部留分は高オクタン価のガソリン成分であり、下部の塔側採取口は重芳香族成分であり、塔底の留出物は循環溶剤として使用する。得られた非芳香族成分は中間部位から分留塔４に入り、蒸留分離を行なった。分留温度が１００〜１３５℃、圧力が０.１５〜０.２５ＭＰＡで、塔頂部の分留物はガス軽油成分である。塔側採取口から軽非芳香族を採取した。塔底の留出物は軽油成分である。得られた軽油成分の全部を軽油留分とブレンドする。得られた軽非芳香族の５０％を化工軽油として使用する。軽非芳香族の残りの５０％は得られた全部の高オクタン価のガソリン成分及びガス軽油成分とブレンドする。
【００５９】
比較例２-Ｂ
中間基残渣重油触媒原料と再生油は、蘭州触媒工場製のLＡNET−３５触媒作用により、接触分解アルキレートを発生した。得られた接触分解アルキレートを分留塔１に入れて、分割分留を行なった。分留塔１の塔頂部の温度が１１０℃、軽油出口の温度が１９０℃、塔底の温度が３７０℃、塔頂部の圧力が０.１１ＭＰＡ、塔底の圧力を０.１２ＭＰＡで、分留によってドライガス、LPG、ガソリン、軽油、重油留分などを得られた。
【００６０】
実施例２-Ｂ
中間基残渣重油触媒原料と再生油は、蘭州触媒工場製のLＡNET−３５触媒作用により、接触分解アルキレートを発生した。得られた接触分解アルキレートを分留塔１に入れて、分割分留を行なった。分留塔１の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔１の中部に中間留分を分割するための三つの塔側採取口を増やした。上から下への順で、三つの塔側採取口の温度はそれぞれ１７０、１８０、１９０℃であり、中間留分の分留範囲がそれぞれ８０〜１２０℃、１２０〜１６５℃、１６５〜２２０℃であり、得られた三つの分留範囲の中間留分とガソリン留分三つの同じ抽出装置に送り込み、溶剤の抽出分離を行なった。溶剤にテトラエチレングリコールを使用した。抽出温度が８５℃、抽出圧力が０.４ＭＰＡ、溶剤の重量比（溶剤/原料）が３.１で、芳香族成分と非芳香族成分を分離した。得られた芳香族成分が混合された後、溶剤と共に中間部位から分留塔３に入り、蒸留分離を行なった。分留温度が１２０〜１８０℃、分留圧力が０.０４〜０.２０ＭＰＡで、下部からストリッピング水を入れた。塔頂部留分は高オクタン価のガソリン成分であり、下部の塔側採取口は重芳香族成分であり、塔底の留出物は循環溶剤として使用する。得られた非芳香族成分は混合後、中間部位から分留塔４に入り、蒸留分離を行なった。分留温度が１００〜１３５℃、圧力が０.１５〜０.２５ＭＰＡで、塔頂部の分留物はガス軽油成分である。塔側採取口から軽非芳香族を採取した。塔底の留出物は軽油成分である。得られた軽油成分は水素化精製により処理された後、エチレン原料とする。得られた軽非芳香族はガス軽油成分とブレンドする。得られた高オクタン価のガソリン成分の全部はガス軽油成分とブレンドする。
【００６１】
比較例３-Ｂ
ナフテン基重油触媒原料と再生油は、蘭州触媒工場製のLＡNET−３５触媒作用により、接触分解アルキレートを発生した。得られた接触分解アルキレートを分留塔１に入れて、分割分留を行なった。分留塔１の塔頂部の温度が１１０℃、軽油出口の温度が１９０℃、塔底の温度が３７０℃、塔頂部の圧力が０.１１ＭＰＡ、塔底の圧力を０.１２ＭＰＡで、分留によって、ドライガス、LPG、ガソリン、軽油、重油留分などを得られた。
【００６２】
実施例３-Ｂ
ナフテン基重油触媒原料と再生油は、蘭州触媒工場製のLＡNET−３５触媒作用により、接触分解アルキレートを発生した。得られた接触分解アルキレートを分留塔１に入れて、分割分留を行なった。分留塔１の塔頂部の温度が８０℃、軽油出口の温度が２４０℃、塔底の温度が３７０℃、塔頂部の圧力が０.１８ＭＰＡ、塔底の圧力が０.２５ＭＰＡ。分留塔１の中部に中間留分を分割するための二つの塔側採取口を増やした。上から下への順で、二つの塔側採取口の温度はそれぞれ１８０℃、１９０℃。中間留分の分留範囲がそれぞれ８０〜１６５℃、１６５〜２２０℃。得られた二つの分留範囲の中間留分はそれぞれガソリン留分と混合後、二つの同じ抽出装置に送り込み、溶剤の抽出分離を行なった。溶剤にN-FORMYLMORPHOLIENEを使用した 。抽出温度が８５℃、抽出圧力が０.４ＭＰＡ、溶剤の重量比（溶剤/原料）が３.１で、芳香族成分と非芳香族成分を分離した。得られた芳香族成分が混合された後、中間部位から分留塔３に入り、蒸留分離を行なった。分留温度が１２０〜１８０℃、分留圧力が０.０４〜０.２０ＭＰＡ、下部からストリッピング水を入れた。塔頂部の留分は高オクタン価成分であり、下部の塔側採取口は重芳香族成分であり、塔底の留出物は循環溶剤として使用する。得られた非芳香族成分は混合後、溶剤と中間部位から分留塔４に入り、蒸留分離を行なった。分留温度が１００〜１３５℃、圧力が０.１５〜０.２５ＭＰＡで、塔頂部の分留物はガス軽油成分である。塔側採取口から軽非芳香族を採取した。塔底の留出物は軽油成分である。得られた軽油成分の全部は軽油留分とブレンドする。得られた軽非芳香族は、化工軽油として使用できる。得られた高オクタン価のガソリン成分はガス軽油成分とブレンドする。得られた重芳香族成分は得られた軽油留分と調和する。
【００６３】
比較例４-Ｂ
５０%のパラフィン基重油と５０%の中間基重油触媒原料と再生油は蘭州触媒工場製のLＡNET−３５触媒作用により、接触分解アルキレートを発生した。得られた接触分解アルキレートを分留塔１に入れて、分割分留を行なった。分留塔１の塔頂部の温度が１１０℃、軽油出口の温度が１９０℃、塔底の温度が３７０℃、塔頂部の圧力が０.１１ＭＰＡ、塔底の圧力を０.１２ＭＰＡで、分留によってドライガス、LPG、ガソリン、軽油、重油留分などを得られた。
【００６４】
実施例４-Ｂ
図２-Ｂに示したように、ナフテン基重油接触分解原料と再生油は蘭州触媒工場製のLＡNET−３５触媒作用により、接触分解アルキレートを発生した。得られた接触分解アルキレートを分留塔１に入れて、分割分留を行なった。分留塔１の塔頂部の温度が１４０℃、軽油出口の温度が２２０℃、塔底の温度が３７０℃、塔頂部の圧力が０.１ＭＰＡ、塔底の圧力が０.１２ＭＰＡ。前述のガソリン留分１の分留範囲を３５〜２４０℃に、軽油留分の分留範囲を２４０〜３８５℃に制御した。前述のガソリン留分１を分留塔２に送り込み、二次分留を行なった。分留塔２の塔頂部の温度が８０℃、中間留分出口温度が２４０℃、塔底の温度が３７０℃、塔頂部の圧力が０.１ＭＰＡ、塔底の圧力が０.１２ＭＰＡで、前述の分留塔２の底部から分留範囲が１１０℃〜２１０℃の中間留分を分留し、その頂部から分留範囲が３５〜１１０℃のガソリン留分を分離した。中間留分とガソリン留分を一緒に抽出装置塔に送り込み、溶剤の抽出分離を行なった。溶剤に５０％のN-メチル-２-ピロリドンと５０％のテトラエチレングリコールを使用した。抽出温度が８０℃、抽出圧力が０.４ＭＰＡ、溶剤の重量比（溶剤/原料）が３.３で、芳香族成分と非芳香族成分を分離した。得られた芳香族成分と溶剤は中間部位から分留塔３に入り、蒸留分離を行なった。分留温度が１２０〜１８０℃、分留圧力が０.０４〜０.２０ＭＰＡ、下部からストリッピング水を入れて、塔頂部留分は高オクタン価のガソリン成分であり、下部の塔側採取口は重芳香族成分であり、塔底の留出物は循環溶剤として使用する。得られた非芳香族成分は中間部位から分留塔４に入り、蒸留分離を行なった。分留温度が１００〜１３５℃、圧力が０.１５〜０.２５ＭＰＡで、塔頂部の分留物はガス軽油成分であり、塔側採取口から軽非芳香族を採取した。塔底の留出物は軽油成分である。得られた高オクタン価のガソリン成分とガス軽油成分を９３＃ガソリンにブレンドする。得られた軽油成分と軽油留分を５＃軽油にブレンドする。得られた軽非芳香族は、化工軽油として使用できる。
【００６５】
比較例５-Ｂ
パラフィン基重油触媒原料と再生油は、蘭州触媒工場製のLＢO−１６触媒作用により、接触分解アルキレートを発生した。得られた接触分解アルキレートを分留塔１に入れて、分割分留を行なった。分留塔１の塔頂部の温度が１１０℃、軽油出口の温度が１９０℃、塔底の温度が３７０℃、塔頂部の圧力が０.１１ＭＰＡ、塔底の圧力を０.１２ＭＰＡで、分留によって、ドライガス、LPG、ガソリン、軽油、重油留分などを得られた。
【００６６】
実施例５-Ｂ
図３-Ｂに示したように、パラフィン基重油接触分解原料と再生油は蘭州触媒工場製のLＢO−１６触媒作用により、接触分解アルキレートを発生した。得られた接触分解アルキレートを分留塔１に入れて、分割分留を行なった。分留塔１の塔頂部の温度が９０℃、軽油出口の温度が１８０℃、塔底の温度が３４０℃、塔頂部の圧力が０.１ＭＰＡ、塔底の圧力が０.１２ＭＰＡ。前述のガソリン留分の分留範囲を３５〜１２０℃に、軽油留分１の分留範囲を１２０〜３５５℃に制御した。前述のガソリン留分１を分留塔５に送り込み、二次分留を行なった。分留塔５の塔頂部の温度が８０℃、軽油出口の温度が２４０℃、塔底の温度が３７０℃、塔頂部の圧力が０.１ＭＰＡ、塔底の圧力が０.１２ＭＰＡで、前述の分留塔５の頂部から分留範囲が８０℃〜２４０℃の中間留分を分離し、その底部から分留範囲が２４０〜３８０℃の軽油留分を分離した。得られた中間留分と得られたガソリン留分は抽出塔に送り込み、溶剤の抽出分離を行なった。溶剤にN-メチル-２-ピロリドンを使用した。抽出温度が６６℃、抽出圧力が０.４ＭＰＡ、溶剤の重量比（溶剤/原料）が３.３で、芳香族成分と非芳香族成分を分離した。得られた芳香族成分と溶剤中間部位から分留塔３に入り、蒸留分離を行なった。分留温度が１２０〜１８０℃、分留圧力が０.０４〜０.２０ＭＰＡで、下部からストリッピング水を入れた。塔頂部留分は高オクタン価のガソリン成分であり、下部の塔側採取口は重芳香族成分であり、塔底の留出物は循環溶剤として使用する。得られた非芳香族成分は中間部位から分留塔４に入り、蒸留分離を行なった。分留温度が１００〜１５０℃、圧力が０.１５〜０.２５ＭＰＡで、塔頂部分留物はガス軽油成分である。塔側採取口から軽非芳香族を採取した。塔底の留出物は軽油成分である。得られた軽油成分は水素化精製により処理された後、エチレン原料とする。得られた高オクタン価のガソリン成分とガス軽油成分ブレンドする。得られた軽非芳香族は、化工軽油として使用できる。
【００６７】
比較例６-Ｂ
残渣配合比率が６０のパラフィン基重油触媒原料と再生油蘭州触媒工場製のLＡNET−３５触媒作用により、接触分解アルキレートを発生した。得られた接触分解アルキレートを分留塔１に入れて、分割分留を行なった。分留塔１の塔頂部の温度が１１０℃、軽油出口の温度が１９０℃、塔底の温度が３７０℃、塔頂部の圧力が０.１１ＭＰＡ、塔底の圧力を０.１２ＭＰＡで、分留によって、ドライガス、LPG、ガソリン、軽油、重油留分などを得られた。
【００６８】
実施例６-Ｂ
残渣配合比率が６０のパラフィン基重油触媒原料と再生油は、蘭州触媒工場製のLＣS触媒作用により、接触分解アルキレートを発生した。得られた接触分解アルキレートを分留塔１に入れて、分割分留を行なった。分留塔１の塔頂部の温度が８０℃、軽油出口の温度が２４０℃、塔底の温度が３７０℃。塔頂部の圧力が０.１ＭＰＡ、塔底の圧力が０.１２ＭＰＡ。分留塔１の中部に中間留分を分割するための一つの塔側採取口を増やした。塔側採取口の温度が１８０℃、中間留分の分留範囲が１４０〜２４０℃で、得られた中間留分と得られたガソリン留分を抽出装置に送り込み、溶剤の抽出分離を行なった。溶剤にペンタエチレングリコールを使用した。抽出温度が１００℃、抽出圧力が０.４ＭＰＡ、溶剤の重量比（溶剤/原料）が２.９で、芳香族成分と非芳香族成分を分離した。得られた芳香族成分は直接高品質ガソリンとして使用する。得られた非芳香族成分は中間部位から分留塔４に入り、蒸留分離を行なった。分留温度が１００〜１５０℃、圧力が０.１５〜０.２５ＭＰＡで、塔頂部の分留物は軽非芳香族であり、塔底の留出物は軽油成分である。得られた軽油成分の全部を軽油留分とブレンドする。得られた軽非芳香族は、化工軽油として使用できる。
【００６９】
比較例により得られた製品と実施例により得られた製品の収率及び性能比較結果を下表に示した。
【表５】
2007506808.tif 000007
【表６】
2007506808.tif 000008
【表７】
2007506808.tif 000009
【表８】
2007506808.tif 000010
【表９】
2007506808.tif 000011
【表１０】
2007506808.tif 000012
【表１１】
2007506808.tif 000013
【表１２】
2007506808.tif 000014
【表１３】
2007506808.tif 000015
【表１４】
2007506808.tif 000016
【表１５】
2007506808.tif 000017
【表１６】
2007506808.tif 000018
【００７０】
軽油中の芳香族含有量は、GＢ１１１３２−２００２に基づき測定した。ガソリンのオクタン価は、GＢ/T５４８７に基づき測定した。ガソリンの密度は、GＢ/T１８８４−１８８５に基づき測定した。ガソリンの分留範囲は、GＢ/T６５３６に基づき測定した。ガソリンオレフィン含有量は、GＢ１１１３２−２００２に基づき測定した。軽油中のオレフィン含有量は、GＢ１１１３２−２００２に基づき測定した。軽油のセタン価は、GＢ/T３８６に基づき測定した。軽油の密度は、GＢ/T１８８４−１８８５に基づき測定した。軽油の分留範囲は、GＢ/T６５３６に基づき測定した。軽油の引火点は、GＢ/T ２６１に基づき測定した。化工軽油（軽非芳香族）分留範囲は、GＢ/T６５３６に基づき測定した。化工軽油の密度は、GＢ/T１８８４−１８８５に基づき測定した。化工軽油中の芳香族含有量は、GＢ１１１３２−２００２に基づき測定した。化工軽油中のオレフィン含有量は、GＢ１１１３２−２００２に基づき測定した。
【００７１】
比較実施例１-Ｃ
パラフィン基触媒原料と再生油は、蘭州触媒工場製のLＣS触媒の触媒作用により、接触分解アルキレートを発生した。得られた接触分解アルキレートは接触分解ろう油である。それを分留塔に入れて、分割分留を行なった。分留塔の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔の中部に中間留分を分割するための一つの塔側切口を増やした。塔側切口の温度が１９０℃、中間留分の分留範囲が１２０〜２１０℃。得られた中間留分を板式塔に送り、水洗いを行なった後に、抽出塔に送り込み、溶剤の抽出分離を行なった。溶剤にスルホランを使用した。抽出温度が８０℃、抽出圧力が０.４ＭＰＡ、溶剤の重量比（溶剤/原料）が４.８で、スルホランはストリッピング再生法により再生して、芳香族成分と非芳香族成分を分離した。得られた芳香族成分は、中間部位から別の留塔中に入り、蒸留分離を行なった。分留温度が１２０〜１６５℃、分留圧力が０.０４〜０.２０ＭＰＡで、下部からストリッピング水を入れた。塔頂部の留分は高オクタン価成分であり、下部の塔側採取口は重芳香族成分であり、塔底の留出物は循環溶剤として使用する。得られた高オクタン価成分は全部ガソリン留分と調和した。得られた非芳香族成分は、中間部位から次の分留塔に入り、蒸留分離を行なった。分留温度が１００〜１３５℃、圧力が０.１５〜０.２５ＭＰＡで、塔頂部の分留物は軽非芳香族であり、塔底の留出物は軽油成分である。得られた軽油成分の全部を軽油留分と調和し、得られた軽非芳香族をガソリン留分と調和した。
【００７２】
実施例１-Ｃ
図１-Ｃに示したように、パラフィン基触媒原料と再生油は、蘭州触媒工場製のLＣS触媒の触媒作用により、接触分解アルキレートを発生した。得られた接触分解アルキレートは接触分解ろう油である。それを分留塔に入れて、分割分留を行なった。分留塔の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔の中部に中間留分を分割するための一つの塔側切口を増やした。塔側切口の温度が１９０℃、中間留分の分留範囲が１２０〜２１０℃。得られた中間留分を抽出塔に送り、溶剤の抽出分離を行なった。溶剤にスルホランを使用した。抽出温度が８０℃、抽出圧力が０.４ＭＰＡ、溶剤の重量比（溶剤/原料）が４.８で、芳香族成分と非芳香族成分を分離した。得られた芳香族成分は、中間部位から別の留塔中に入り、蒸留分離を行なった。分留温度が１２０〜１８０℃、分留圧力が０.０４〜０.２０ＭＰＡで、下部からストリッピング水を入れた。塔頂部の留分は高オクタン価成分であり、下部の塔側採取口は重芳香族成分であり、塔底の留出物は循環溶剤として使用する。得られた高オクタン価成分とガソリン留分を９３＃ガソリンに調和した。得られた非芳香族成分は、中間部位から次の分留塔に入り、蒸留分離を行なった。分留温度が１００〜１３５℃、圧力が０.１５〜０.２５ＭＰＡで、塔頂部の分留物が軽非芳香族であり、塔底の留出物が軽油成分である。得られた軽油成分と軽油留分を５＃軽油に調和する。得られた軽非芳香族は、化工軽油として使用できる。
【００７３】
芳香族から抽出した溶剤のスルホランと循環水とを混合器１で十分混合し、水とスルホランの重量比は５.０である。混合された混合物が溶剤再生器２の沈殿区３に入る。沈殿区３の下部に隔離板３２が付けられている。沈殿区３は操作温度が３０℃、圧力が０.３ＭＰＡである。混合物は沈殿区に三つの層を形成した。上層は油層であり、排出口より排出され、下層は不溶物であり、残渣排出口より排出され、中部は水溶性溶剤と水との混合相位であり、スポート３１を経由して、一次濾過区４に入る。沈殿区３は一次濾過区と隔離板３２により隔てられる。濾過区４の下部に隔離板４２と４３が付けられている。隔離板４２にフィルターエレメント４１をつけた。フィルターエレメント４１の中には、多孔質の金属網材料を充填した。多孔質の金属網材料は孔径が５０μm、操作温度が４０℃、圧力が０.２ＭＰＡである。濾過区４により処理されたろ出物は二次濾過区５に入る。濾過区５の下部に隔離板５２と５３が付けられている。隔離板５２にフィルターエレメント５１をつけた。フィルターエレメント５１には、多孔質の金属粉末冶金材料を充填した。多孔質の金属網材料は孔径が２０μmである。操作温度は４０℃、圧力は０.１ＭＰＡである。濾過区５により処理されたのろ出物は蒸留区６に入り、スルホランと水気体-液体との分離を行なった。蒸留区６の上部にトレイ６１が付けられている。下部には、再沸器６２が付いている。蒸留区６の上部温度は８５℃であり、下部温度は１５０℃である。再沸器の温度は２００℃である。蒸留区の圧力は０.０８ＭＰＡである。水蒸気は冷凝器７に流されて、冷却してから、回収水タンク８に入り、油水分離を行なった。得られた水は混合器１に入る。再生溶剤は蒸留区の下部から排出される。得られた再生溶剤と溶剤の性質分析結果は表１-Ｃに示した。
【表１７】
2007506808.tif 000019
【００７４】
実施例２-Ｃ
図２-Ｃに示したように、ナフテン基重油接触分解原料と再生油は、蘭州触媒工場製のLＡNET−３５触媒作用により、接触分解アルキレートを発生した。得られた接触分解アルキレートはナフテン基接触分解重油である。それを分留塔に入れて、分割分留を行なった。分留塔の塔頂部の温度が１２０℃、軽油出口の温度が２７０℃、塔底の温度が３７０℃、塔頂部の圧力が０.１ＭＰＡ、塔底の圧力が０.１２ＭＰＡ。前述のガソリン留分１の分留範囲を３５〜２４０℃に、軽油留分の分留範囲を２４０〜３８５℃に制御した。前述のガソリン留分１別の分留塔に送り込み、二次分留を行なった。当該分留塔の塔頂部温度が８０℃、軽油出口の温度が２４０℃、塔底の温度が３７０℃、塔頂部の圧力が０.１ＭＰＡ、塔底の圧力が０.１２ＭＰＡ。当該分留塔の底部から分留範囲が１１０℃〜２１０℃の中間留分を分離し、その頂部から分留範囲が３５〜１１０℃のガソリン留分を分離した。得られた中間留分は溶剤の抽出分離を行なった。溶剤に５０％のN-メチル-２-ピロリドンと５０％のテトラエチレングリコールを使用した。抽出温度が８０℃、抽出圧力が０.４ＭＰＡで、溶剤の重量比（溶剤/原料）が３.３で、芳香族成分と非芳香族成分を分離した。得られた芳香族成分は、中間部位から次の分留塔に入り、蒸留分離を行なった。分留温度が１２０〜１８０℃、分留圧力が０.０４〜０.２０ＭＰＡで、下部からストリッピング水を入れた。塔頂部の留分は高オクタン価成分であり、下部の塔側採取口は重芳香族成分であり、塔底の留出物は循環溶剤として使用する。得られた高オクタン価成分とガソリン留分を９３＃ガソリンに調和した。得られた非芳香族成分は中間部位から最後の分留塔に入り、蒸留分離を行なった。分留温度が１００〜１３５℃、圧力が０.１５〜０.２５ＭＰＡで、塔頂部の分留物が軽非芳香族であり、塔底の留出物が軽油成分である。得られた軽油成分と軽油留分を５＃軽油に調和する。得られた軽非芳香族は、化工軽油として使用できる。
【００７５】
その他は実施例１-Ｃに同じではあるが、以下の点で違う。前述の水溶性溶剤は芳香族から抽出した溶剤のテトラエチレングリコールであり、水とテトラエチレングリコールの重量比は０.２である。沈殿区３と濾過区４及び濾過区５の間にバルブV１、V２、V３を設けられており、沈殿区３にあるろ出物を直接濾過区５に排出できる。濾過区４と濾過区５及び蒸留区６の間にバルブV４、V５、V６、V７が設けられており、沈殿区３または濾過区４または５にあるろ出物を直接蒸留区６に排出できる。そして、V８とV９が設けられており、沈殿区３または濾過区４または５または蒸留区６にあるろ出物を直接排出できることによって、再生溶剤が得られる。混合器１と回収水缶８の間にバルブV１０が設けられており、ろ出物が蒸留区６を流れない時、バルブV１０が閉まる。V２、V５、V８が閉まった時、その他すべてのバルブは開かれて、ろ出物はそれぞれ沈殿区３、濾過区４、濾過区５及び蒸留区６を通過する。得られた再生溶剤と溶剤の性質分析結果は表２-Ｃに示した。
【表１８】
2007506808.tif 000020
【００７６】
実施例３-Ｃ
図３-Ｃに示したように、パラフィン基重油接触分解原料と再生油は、蘭州触媒工場製のLＢO−１６触媒作用により、接触分解アルキレートを発生した。得られた接触分解アルキレートは、ナフテン基接触分解重油である。それを分留塔に入れて、分割分留を行なった。分留塔の塔頂部の温度が５０℃、軽油出口の温度が２１０℃、塔底の温度が３４０℃、塔頂部の圧力が０.１ＭＰＡ、塔底の圧力が０.１２ＭＰＡ。前述のガソリン留分の分留範囲を３５〜１２０℃に、軽油留分１の分留範囲を１２０〜３５５℃に制御した。前述の軽油留分１を別の分留塔に送り込み、二次分留を行なった。当該分留塔の塔頂部の温度が８０℃、軽油出口の温度が２４０℃、塔底の温度が３７０℃、塔頂部の圧力が０.１ＭＰＡ、塔底の圧力が０.１２ＭＰＡ。当該分留塔頂部から分留範囲が８０℃〜２４０℃の中間留分を分離し、その底部から分留範囲が２４０〜３８０℃のガソリン留分を分離した。得られた中間留分を抽出塔に送り、溶剤の抽出分離を行なった。溶剤にN-メチル-２-ピロリドンを使用した。抽出温度が６６℃、抽出圧力が０.４ＭＰＡ、溶剤の重量比（溶剤/原料）が３.３で、芳香族成分と非芳香族成分を分離した。得られた芳香族成分は、中間部位から次の分留塔に入り、蒸留分離を行なった。分留温度が１２０〜１８０℃、分留圧力が０.０４〜０.２０ＭＰＡで、下部からストリッピング水を入れた。塔頂部の留分は高オクタン価成分であり、下部の塔側採取口は重芳香族成分であり、塔底の留出物は循環溶剤として使用する。得られた高オクタン価成分は全部ガソリン留分と調和した。得られた非芳香族成分中間部位から最後の分留塔に入り、蒸留分離を行なった。分留温度が１００〜１５０℃、圧力が０.１５〜０.２５ＭＰＡで、塔頂部の分留物が軽非芳香族であり、塔底の留出物が軽油成分である。得られた軽油成分の全部を軽油留分と調和する。得られた軽非芳香族は、化工軽油として使用できる。
【００７７】
その他は実施例１-Ａに同じではあるが、以下の点で違う。溶剤は芳香族から抽出した蒸留のN-メチル-２-ピロリドンである。濾過区４と濾過区５を取り除いた。水と溶剤の重量比は９.０である。得られた再生溶剤と溶剤の性質分析結果は表３-Ｃに示した。
【表１９】
2007506808.tif 000021
【００７８】
実施例４-Ｃ
図４-Ｃに示したように、パラフィン基触媒原料と再生油は、蘭州触媒工場製のLＣS触媒の触媒作用により、接触分解アルキレートを発生した。得られた接触分解アルキレートは接触分解ろう油である。それを分留塔に入れて、分割分留を行なった。分留塔の塔頂部の温度が８０℃、軽油出口の温度が２４０℃、塔底の温度が３７０℃、塔頂部の圧力が０.１ＭＰＡ、塔底の圧力が０.１２ＭＰＡ。分留塔の中部に中間留分を分割するための一つの塔側切口を増やした。塔側切口の温度が１９０℃、中間留分の分留範囲が１２０〜２１０℃。得られた中間留分を抽出塔に送り、溶剤の抽出分離を行なった。溶剤にスルホランを使用した。抽出温度が８０℃、抽出圧力が０.４ＭＰＡ、溶剤の重量比（溶剤/原料）が４.８で、芳香族成分と非芳香族成分を分離した。得られた芳香族成分は、中間部位から別の留塔中に入り、蒸留分離を行なった。分留温度が１２０〜１６５℃、分留圧力が０.０４〜０.２０ＭＰＡで、下部からストリッピング水を入れた。塔頂部の留分は高オクタン価成分であり、下部の塔側採取口は重芳香族成分であり、塔底の留出物は循環溶剤として使用する。得られた高オクタン価成分は全部ガソリン留分と調和した。得られた非芳香族成分は、中間部位から次の分留塔に入り、蒸留分離を行なった。分留温度が１００〜１３５℃、圧力が０.１５〜０.２５ＭＰＡで、塔頂部の分留物は軽非芳香族であり、塔底の留出物は軽油成分である。得られた軽油成分の全部を軽油留分と調和し、得られた軽非芳香族をガソリン留分と調和した。
【００７９】
芳香族を抽出蒸留の処理をした溶剤N-FORMYLMORPHOLIENEと循環水とを混合器１で充分混合した。水とN-FORMYLMORPHOLIENEの重量比は２.０である。混合された混合物は沈殿器９に入る。沈殿器９は操作温度が９０℃、圧力が１０ＭＰＡである。混合された混合物は沈殿器で三つの層を形成した。上層は油層であり、排出口より排出され、下層は不溶物であり、残渣排出口より排出され、中部は水溶性溶剤と水との混合相であり、一次フィルター１０に入る。前述のフィルター１０の下部に隔離板４２が設けられており、隔離板４２にフィルターエレメント４１が付けられている。フィルターエレメント４１には、セラミックフィルターエレメントが入っている。セラミックフィルターエレメントは孔径が４０μmである。操作温度は５０℃であり、圧力は０.９ＭＰＡである。フィルター１０により処理されたろ出物は二次フィルター１１に入る。フィルター１１の下部に隔離板５２が設けられており、隔離板５２にフィルターエレメント５１が付けられている。フィルターエレメント５１には、多孔質の金属粉末冶金材料が入っている。多孔質の金属粉末冶金材料は孔径が２０μmである。操作温度は５０℃であり、圧力は０.８ＭＰＡである。フィルター１１により処理されたろ出物は蒸留器１２に入り、気体-液体分離を行なった。蒸留器１２の上部にトレイ６１が設けられており、下部には再沸器６２が設けられている。蒸留器１２の上部温度は８５℃であり、下部温度は１６２℃である。再沸器の温度は２００℃であり、蒸留器１２の圧力は０.０８ ＭＰＡである。水蒸気を冷凝器７に排出し、冷却してから、回収水タンク８に戻して、油水分離を行なった。得られた水は混合器１に戻る。再生溶剤は蒸留器１２の下部より排出される。得られた再生溶剤と溶剤との性質分析結果は表４-Ｃに示した。
【表２０】
2007506808.tif 000022
【００８０】
実施例5-C
図5-Cに示したように、その他は実施例1-Cと同様ではあるが、以下の点で異なる。溶剤は吸収の過程中に使用されたジメチルスルフォキシドである。水とジメチルスルフォキシドとの重量比を１．０とする。沈殿区3とろ過区4及びろ過区5の間にバルブV1、V2、V3、V4、V5、V6が設けられている。もし、バルブV2とV5だけを閉じて、その他のバルブを開けると、沈殿区3にある水溶性溶剤と水の混合相位は、それぞれろ過区4とろ過区5を経由して、ろ過区5の排出口から再生溶剤が直接排出される。もし、V2だけを閉じて、その他のバルブを開けると、沈殿区3にある水溶性溶剤と水の混合相位は、必ずろ過区4を経由しなければならず、または再度ろ過区5を経由しなければならない。またはろ過区4の排出口から再生溶剤を直接排出される。バルブV2、V5を全部閉じた場合に得られた再生溶剤と溶剤物性の分析結果を表5-Cに示した。
【表２１】
2007506808.tif 000023
【産業上の利用可能性】
【００８１】
本発明を利用するメリットは下記の通りである。つまり、本発明の方法により精製する製品はすべて接触分解による分留塔からのガソリンと軽油の留分のみであり、その他の調和成分が一切入っていないため、ガソリンの分解率を低減できるので、ガソリン中の芳香族含有量を向上できる効果がある。それによって、ガソリンについては、研究法オクタン価が３〜５単位を向上させ、ガソリンの分留範囲が３５〜１９０℃から３５〜２０３℃へと広くなる。軽油については、収率が５〜７単位を向上させ、軽油・ガソリンの分解比率が０.４〜０.８を向上できる。軽油の芳香族含有量が降下できるため、そのセタン価が５〜７単位を向上させることにより、軽油の分留範囲が１８０〜３６５℃から１６５〜３６５℃へと広くなる。軽油の引火点が７５℃から５６℃に下げられ、良質の化工軽油製品と重芳香族製品を増加できる。ガス軽油の中間留分である芳香族、非芳香族出来、芳香族成分の高オクタン価成分とガソリン留分とを調和することにより、比率の異なる９０＃、９３＃及び９７＃ガソリンを調和できるので、製油所はマーケットの実情に合わせて、柔軟的対応できる。本発明によれば、分解されたガソリンは高オクタン価成分による調和を必要とせず、直接出荷できるので、高オクタン価成分の節約につながる。とりわけ、改質生成油が軽芳香族の主な源泉である。他の方法に比べれば、本発明による方法は、既存の接触分解アルキレート装置に、一つの抽出塔及びいくつかの分留塔だけを増設すれば、ガソリンと軽油の品質向上ができると共に、仕様の異なるガソリンと軽油の同時製造もできるので、建設工費が少なく、工事期間が短かく、操作が簡単であり、ランニングコストが安いという特徴があり、比較的短かい期間で、軽油・ガソリンの分解比率の需要を満足できない現状を改善できる。
【００８２】
本発明に係わる再生システムは濾過再生に比べると、濾過再生工程では、雑質とコロイドによる濾過システムの目詰まりが存在するため、常時処置を必要とする上、再生後の溶剤は品質が悪いという問題がある。それに対して、本発明による再生工程では、濾過処理を受ける前に、静止沈殿により、溶剤中の雑質を分離されてから、溶剤中のコロイドを濾過により効果的に分離するので、再生した溶剤は品質が良いのである。
【図面の簡単な説明】
【００８３】
【図１−Ａ】本発明の実施例１-Ａに係わり、その工程を示すフローチャートである。
【図２−Ａ】本発明の実施例５-Ａに係わり、その工程を示すフローチャートである。
【図３−Ａ】本発明の実施例４-Ａに係わり、その工程を示すフローチャートである。
【図１−Ｂ】本発明の実施例１-Ｂに係わり、その工程を示すフローチャートである。
【図２−Ｂ】本発明の実施例４-Ｂに係わり、その工程を示すフローチャートである。
【図３−Ｂ】本発明の実施例５-Ｂに係わり、その工程を示すフローチャートである。
【図１−Ｃ】本発明の実施例１-Ｃに係わり、その工程を示すフローチャートである。
【図２−Ｃ】本発明の実施例２-Ｃに係わり、その工程を示すフローチャートである。
【図３−Ｃ】本発明の実施例３-Ｃに係わり、その工程を示すフローチャートである。
【図４−Ｃ】本発明の実施例４-Ｃに係わり、その工程を示すフローチャートである。
【図５−Ｃ】本発明の実施例５-Ｃに係わり、その工程を示すフローチャートである。
2007506808.tif 000024
2007506808.tif 000025
2007506808.tif 000026
2007506808.tif 000027
2007506808.tif 000028
2007506808.tif 000029
2007506808.tif 000030
2007506808.tif 000031
2007506808.tif 000032
2007506808.tif 000033
2007506808.tif 000034
【国際調査報告】
2007506808.tif 000035
2007506808.tif 000036
2007506808.tif 000037
2007506808.tif 000038